(57)【要約】【課題】  鉄道車両運転衝撃事故時に乗客が胸部傷害防止装置付き袖仕切り板へ押し付けられると、その押し付け力に応じて袖仕切り板及びそれを支えるパイプが回転することにより、袖仕切り板及びパイプによる乗客への衝撃を和らげることができる鉄道車両運転衝撃事故時の乗客被害低減用袖仕切り装置を提供する。【解決手段】鉄道車両運転衝撃事故時の乗客被害低減用袖仕切り装置において、鉄道車両運転衝撃事故時に乗客が胸部傷害防止機能付き袖仕切り板２へ押し付けられると、乗客による前記袖仕切り板２に対する押し付け力に応じて、座席の背面端部に垂直に配置される袖仕切り板２の枢着軸４を中心にして前記袖仕切り板２及びそれを支えるパイプ３が共に回転することによって、前記袖仕切り板２及び前記パイプ３による乗客への衝撃を和らげる。【選択図】  図２
2011105226.tif 000002
【特許請求の範囲】
【請求項１】
鉄道車両運転衝撃事故時の乗客被害低減用袖仕切り装置において、鉄道車両運転衝撃事故時に乗客が胸部傷害防止機能付き袖仕切り板へ押し付けられると、乗客による前記袖仕切り板に対する押し付け力に応じて、座席の背面端部に垂直に配置される袖仕切り板の枢着軸を中心にして前記袖仕切り板及びそれを支えるパイプが共に回転することによって、前記袖仕切り板及び前記パイプによる乗客への衝撃を和らげることを特徴とする鉄道車両運転衝撃事故時の乗客被害低減用袖仕切り装置。
【請求項２】
請求項１記載の鉄道車両運転衝撃事故時の乗客被害低減用袖仕切り装置において、前記袖仕切り板の前記座席側に面状押圧センサーを配置し、鉄道車両の天井に固定される固定パイプと前記袖仕切り板に固定される握りパイプとの間に鎖錠装置を設けるようにしたことを特徴とする鉄道車両運転衝撃事故時の乗客被害低減用袖仕切り装置。
【発明の詳細な説明】
【技術分野】
【０００１】
本発明は、鉄道車両運転衝撃事故時の乗客被害低減用袖仕切り装置に関するものである。
【背景技術】
【０００２】
本出願人によって、ロングシートの脇に設けられるパイプタイプの袖仕切りに胸部傷害防止板を配置した、鉄道車両運転衝撃事故時の胸部傷害防止装置が提案されている（下記特許文献１参照）。
また、本出願人によって、接客設備を支持する支持部と、前記接客設備を固定する固定部とを備え、前記固定部は、前記接客設備に設定値を越える衝撃が加わったときに、前記支持部を支点としてこの接客設備を開放するようにした、接客設備の緩衝構造が提案されている（下記特許文献２参照）。
【先行技術文献】
【特許文献】
【０００３】
【特許文献１】特開２００６−３６１１５号公報
【特許文献２】特開２００４−０４２８０７公報
【発明の概要】
【発明が解決しようとする課題】
【０００４】
図５は従来の鉄道車両運転衝撃事故時の乗客被害低減用袖仕切り装置の模式図であり、図５（ａ）はその正面図、図５（ｂ）はその上面図である（上記特許文献２参照）。
これらの図において、１０１は鉄道車両、１０１ａは床面、１０１ｂは車両側面、１０２は座席（ロングシート）、１０２ａは脚台、１０２ｂは座部、１０２ｃは背もたれ、１０３は接客設備としての袖仕切り装置、１０４は握りパイプ、１０４ａは握りパイプ部、１０４ｂは下部パイプ部、１０５は袖仕切りパイプ、１０５ａは車両側面１０１ｂに連結される一方の端部、１０５ｂは握りパイプ１０４に連結されている他方の端部である。
【０００５】
上記した接客設備の緩衝構造においては、図５に示すように、袖仕切りパイプ１０５は一方の端部１０５ａを支点として回転して乗客が受ける衝撃を緩和するが、握りパイプ１０４はそのまま残されて動かないため、乗客の脚部に握りパイプ１０４が強く押し付けられることになり問題である。
本発明は、鉄道車両運転衝撃事故時の乗客への衝撃を和らげるため、上記した従来の接客設備の衝撃構造に更に改良を加え、袖仕切り板と共に握りパイプを回転させ、乗客を袖仕切り板及び握りパイプから解放して、傷害を低減する。
【０００６】
本発明は、上記状況に鑑みて、鉄道車両運転衝撃事故時に乗客が傷害防止機能付き袖仕切り板へ押し付けられると、その押し付け力に応じて袖仕切り板及びそれを支えるパイプが回転することにより、袖仕切り板及びパイプによる乗客への衝撃を和らげることができる鉄道車両運転衝撃事故時の乗客被害低減用袖仕切り装置を提供することを目的とする。
【課題を解決するための手段】
【０００７】
本発明は、上記目的を達成するために、
〔１〕鉄道車両運転衝撃事故時の乗客被害低減用袖仕切り装置において、鉄道車両運転衝撃事故時に乗客が胸部傷害防止機能付き袖仕切り板へ押し付けられると、乗客による前記袖仕切り板に対する押し付け力に応じて、座席の背面端部に垂直に配置される袖仕切り板の枢着軸を中心にして前記袖仕切り板及びそれを支えるパイプが共に回転することによって、前記袖仕切り板及び前記パイプによる乗客への衝撃を和らげることを特徴とする。
【０００８】
〔２〕上記〔１〕記載の鉄道車両運転衝撃事故時の乗客被害低減用袖仕切り装置において、前記袖仕切り板の前記座席側に面状押圧センサーを配置し、鉄道車両の天井に固定される固定パイプと前記袖仕切り板に固定される握りパイプとの間に鎖錠装置を設けるようにしたことを特徴とする。
【発明の効果】
【０００９】
本発明によれば、鉄道車両運転衝撃事故時の乗客被害低減を図るために、胸部傷害防止装置付き袖仕切り板に加えられる押し付け力に応じて、前記袖仕切り板及びそれを支えるパイプを回転させて、前記袖仕切り板及び前記パイプによる乗客への衝撃を和らげることができる。
【図面の簡単な説明】
【００１０】
【図１】本発明の実施例の概要を示す模式図である。
【図２】本発明の実施例の胸部傷害防止機能付き袖仕切り板の模式図である。
【図３】図２に示す胸部傷害防止機能付き袖仕切り板が９０度回転した状態を示す模式図である。
【図４】本発明の他の実施例を示す胸部傷害防止機能付き袖仕切り板の斜視図である。
【図５】従来の接客設備の緩衝構造の開放後の状態を示す外観図である。
【発明を実施するための形態】
【００１１】
本発明の鉄道車両運転衝撃事故時の乗客被害低減用袖仕切り装置は、鉄道車両運転衝撃事故時に乗客が胸部傷害防止機能付き袖仕切り板へ押し付けられると、乗客による前記袖仕切り板に対する押し付け力に応じて、座席の背面端部に垂直に配置される袖仕切り板の枢着軸を中心にして前記袖仕切り板及びそれを支えるパイプが共に回転することによって、前記袖仕切り板及び前記パイプによる乗客への衝撃を和らげる。
【実施例】
【００１２】
以下、本発明の実施の形態について詳細に説明する。
図１は本発明に係る袖仕切り板による乗客の胸部傷害の状態を示す模式図、図２は本発明の実施例を示す胸部傷害防止機能付き袖仕切り板を示す模式図、図３はその胸部傷害防止機能付き袖仕切り板が９０度回転した状態を示す模式図、図４は本発明の他の実施例を示す胸部傷害防止機能付き袖仕切り板の斜視図である。
【００１３】
これらの図において、１は座席としてのロングシート、２は胸部傷害防止機能付き袖仕切り板、３はその袖仕切り板２に固定されるパイプであり、乗客が使用する握りパイプ部３Ａ，上部パイプ部３Ｂ，下部パイプ部３Ｃからなる。４はロングシート１の側面に位置し、袖仕切り板２を支えているとともに、上部パイプ部３Ｂと下部パイプ部３Ｃに連結されている枢着軸である。５は天井に固定される回転しない固定パイプである。６は袖仕切り板２のロングシート１側に配置される面状押圧センサーであり、設定された圧力値以上に乗客が袖仕切り板２に押し付けられることによりオン動作をする。７は回転しない固定パイプ５と乗客が使用する握りパイプ部３Ａとの間に配置される鎖錠装置本体であり、上記した面状押圧センサー６のオン動作により、握りパイプ部３Ａを鎖錠している鎖錠部材７Ａが鎖錠装置本体７内に退避して鎖錠が解除される。面状押圧センサー６と鎖錠装置本体７との接続は車体を介した配線でもよいが、面状押圧センサー６からの無線通信により鎖錠装置本体７の鎖錠解除動作を行わせるようにしてもよい。
【００１４】
このように構成したので、乗客が押し付けられることによって袖仕切り板３に所定値以上の押圧力が加わると、面状押圧センサー６がこれを検知して、鎖錠装置本体７の鎖錠が解除される。これにより、握りパイプ部３Ａが固定パイプからフリーになるので、胸部傷害防止機能付き袖仕切り板２が枢着軸４を中心として回転し、仕切り板２と上部パイプ３Ｂによる乗客への衝撃を和らげる。なお、胸部障害防止機能付き袖仕切り板は、図４に示すように、２枚の板２ａ，２ｂからなる構成とし、これらの間にパイプ３及び面状押圧センサー６を挟み込むようにしてもよい。
【００１５】
例えば、図１において、鉄道車両運転衝撃事故時の時刻ｔ＝０．０の場合、乗客に袖仕切り板２による胸部傷害は発生していないが、鉄道車両運転衝撃事故時の時刻ｔ＝０．１５では、袖仕切り板２に押し付けられることにより胸部傷害が現れる。このように、袖仕切り板２に強い力が加わり、それが所定値を越えたことを面状押圧センサー６が検知すると、胸部傷害防止機能付き袖仕切り板２が図３に示すように枢着軸４を中心として９０度回転するので、袖仕切り板２により乗客へ与えられる衝撃を和らげることができる。
【００１６】
なお、本発明は上記実施例に限定されるものではなく、本発明の趣旨に基づき種々の変形が可能であり、これらを本発明の範囲から排除するものではない。
【産業上の利用可能性】
【００１７】
本発明の鉄道車両運転衝撃事故時の乗客被害低減用袖仕切り装置は、鉄道車両運転衝撃事故時に袖仕切り板へ押し付けられることにより受ける乗客の衝撃を和らげ、乗客の安全に資するためのツールとして利用することができる。
【符号の説明】
【００１８】
１    座席としてのロングシート
２    胸部傷害防止機能付き袖仕切り板
２ａ，２ｂ    板
３    パイプ
３Ａ    握りパイプ部
３Ｂ    上部パイプ部
３Ｃ    下部パイプ部
４    枢着軸
５    固定パイプ
６    面状押圧センサー
７    鎖錠装置本体
７Ａ    鎖錠部材
【図３】
2011105226.tif 000003
【図５】
2011105226.tif 000004
【図１】
2011105226.tif 000005
【図２】
2011105226.tif 000006
【図４】
2011105226.tif 000007